(57)【要約】【課題】配信手順を効率的に実行するシステム及び方法を提供する。【解決手段】配信手順を効率的に実行するシステム及び方法は、配信システムから配信サービスを受信する登録手順を実行するユーザデバイスを含む。ユーザデバイスは、そのそれぞれのデバイスユーザに関するユーザメタデータを発生させるのにも使用される。複数のワークステーションが配信システムでそれぞれの広告主に関連付けられる。これらは、ユーザメタデータを分析して対応する入札メタデータを生成する。入札サーバは、次に入札メタデータを評価し、オリジナルワークステーションから１つ又はそれよりも多い勝利ワークステーションを判断する。１つ又はそれよりも多い勝利ワークステーションは、その広告情報をユーザデバイスの適切なものに自動的に送信する。関連の広告情報は、従ってユーザメタデータの分析により個々のデバイスユーザを具体的にターゲットにする。【選択図】図１
2010140472.tif 000002
【特許請求の範囲】
【請求項１】
情報配信手順をサポートするためのシステムであって、
配信システムから配信サービスを受信するための登録手順を実行し、ユーザデバイスのデバイスユーザに関するユーザメタデータも発生させるユーザデバイスと、
前記ユーザメタデータを分析して対応する入札メタデータを生成する、それぞれの広告主に関連付けられたワークステーションと、
前記入札メタデータを評価して前記ワークステーションの中から１つ又はそれよりも多くの勝利ワークステーションを判断する入札サーバと、
を含み、
前記１つ又はそれよりも多くの勝利ワークステーションは、次に、広告情報を前記ユーザデバイスに自動的に送信し、
前記広告情報は、前記ユーザメタデータを分析することにより、前記デバイスユーザを具体的にターゲットにする、
ことを特徴とするシステム。
【請求項２】
前記配信システムは、前記ユーザメタデータに提供された個人プロフィール詳細に照らして前記デバイスユーザに関連する前記広告情報だけを自動的に選択して送信するプッシュ技術を利用することを特徴とする請求項１に記載のシステム。
【請求項３】
前記登録手順は、前記デバイスユーザが、前記配信システムをして該デバイスユーザに関する個人情報にアクセスして利用させる正式承諾に入力することを含み、該正式承諾は、どのレベルの該個人情報を該配信システムによって利用することができるかを具体的に定義することを特徴とする請求項１に記載のシステム。
【請求項４】
前記ユーザデバイスは、バックボーンライブラリを利用して、前記ユーザメタデータが所定の規則に従うことを検証することを特徴とする請求項１に記載のシステム。
【請求項５】
前記所定の規則は、前記ユーザメタデータに対して前記配信システムによってサポートされるフォーマット規則及び用語規則を含むことを特徴とする請求項４に記載のシステム。
【請求項６】
前記ユーザメタデータは、個人名、性別、年齢、宗教、趣味、関心、職業、配偶者の有無、住所、収入、「インターネット」閲覧履歴、及びクレジットカード取引記録を含むことを特徴とする請求項１に記載のシステム。
【請求項７】
前記ユーザデバイスは、前記配信システムに連結した記憶サーバ上に前記ユーザメタデータを記憶することを特徴とする請求項１に記載のシステム。
【請求項８】
メタデータサーバが、バックボーンライブラリによって検証された補足的なユーザメタデータによって前記ユーザメタデータを定期的に更新することを特徴とする請求項１に記載のシステム。
【請求項９】
前記ワークステーションは、前記それぞれの広告主に関する広告主メタデータを発生させ、バックボーンライブラリによって該広告主メタデータを検証することを特徴とする請求項１に記載のシステム。
【請求項１０】
メタデータサーバが、前記ユーザメタデータと前記広告主メタデータを結合してメタデータファイルを生成し、前記ワークステーションは、該メタデータファイルを分析して前記入札メタデータを発生させることを特徴とする請求項９に記載のシステム。
【請求項１１】
前記入札サーバは、前記デバイスユーザに対する前記広告情報の関連性と広告主入札額とを含む所定の評価基準に従って前記入札メタデータを評価することを特徴とする請求項１に記載のシステム。
【請求項１２】
前記勝利ワークステーションは、前記広告情報を、該広告情報を前記ユーザデバイスに自動的に送信する広告サーバに送信することを特徴とする請求項１に記載のシステム。
【請求項１３】
前記ユーザデバイスは、前記広告情報を前記デバイスユーザに表示し、前記情報配信手順は、該デバイスユーザからの積極的な要求なしにターゲット式に該広告情報を自動的に提供することを特徴とする請求項１２に記載のシステム。
【請求項１４】
前記配信システムは、金銭的又は他の報酬と引き換えに、前記それぞれの広告主及び前記デバイスユーザの両方に前記配信サービスへのアクセスを提供する配信制御エンティティによって実施かつサポートされ、該配信制御エンティティは、該配信システムの重要な要素を維持かつ制御する営利事業であることを特徴とする請求項１に記載のシステム。
【請求項１５】
前記配信システムは、登録サーバ、メタデータサーバ、記憶サーバ、及び広告サーバを更に含むことを特徴とする請求項１に記載のシステム。
【請求項１６】
配信システムから配信サービスを受信するための登録手順を実行するデバイスアプリケーションと、
ユーザデバイスのデバイスユーザに関するユーザメタデータと、
を含み、
前記ユーザメタデータは、分析されて対応する入札メタデータを生成し、
前記入札メタデータは、広告情報をユーザデバイスに自動的に送信するために分析され、
前記広告情報は、前記ユーザメタデータを分析することによって前記デバイスユーザを具体的にターゲットにする、
ことを特徴とするユーザデバイス。
【請求項１７】
前記登録手順は、前記デバイスユーザが、前記配信システムをして該デバイスユーザに関する個人情報にアクセスして利用させる正式承諾に入力することを含み、該正式承諾は、どのレベルの該個人情報を該配信システムによって利用することができるかを具体的に定義することを特徴とする請求項１６に記載のユーザデバイス。
【請求項１８】
バックボーンライブラリを利用して、前記ユーザメタデータが所定の規則に従うことを検証することを特徴とする請求項１６に記載のユーザデバイス。
【請求項１９】
前記所定の規則は、前記ユーザメタデータに対して前記配信システムによってサポートされるフォーマット規則及び用語規則を含むことを特徴とする請求項１８に記載のユーザデバイス。
【請求項２０】
前記ユーザメタデータは、個人名、性別、年齢、宗教、１つ又はそれよりも多くの趣味、１つ又はそれよりも多くの関心、職業、配偶者の有無、住所、収入、「インターネット」閲覧履歴、及びクレジットカード取引記録を含むことを特徴とする請求項１６に記載のユーザデバイス。
【発明の詳細な説明】
【技術分野】
【０００１】
本発明は、一般的に、電子情報を配信するための技術に関し、より具体的には、電子バックボーンを使用して配信手順を効率的に実行するためのシステム及び方法に関する。
【背景技術】
【０００２】
電子データを配信するための効率的な方法の実施は、現代の電子システムの設計者及び製造業者にとって重要な懸案事項である。しかし、電子デバイスによって利用される電子データを効率的に配信することは、システム設計者に対して多大な難問を生じる場合がある。例えば、増大したデバイス機能及び性能に対する拡大する要求により、より多くのシステム処理機能を必要とし、付加的なソフトウエアリソースを要する場合がある。処理又はソフトウエア要件における増大は、増大する生産コスト及び作動上の非効率性のために、対応する経済的悪影響を結果として生じる場合もある。
【０００３】
更に、様々な高度なデータ配信作業を実行するための拡張されたシステム機能は、システムユーザに付加的な利益を提供することができるが、様々なシステム構成要素の制御及び管理に多大な負担を掛ける場合がある。例えば、電子広告情報を効率的に管理する電子システムは、関わっているデジタルデータの多量さ及び複雑さのために効率的な実施から恩典を受けることができる。
【発明の概要】
【発明が解決しようとする課題】
【０００４】
システムリソースに対する急増する要求及び大幅に増大するデータのマグニチュードのために、電子データを電子デバイスに配信するための新しい技術を開発することが関連の電子技術にとって懸案事項であることは明らかである。従って、上述の理由の全てのために、電子データを配信するための効率的な技術を開発することは、現代の電子デバイスの設計者、製造業者、及びユーザにとって重要な考慮事項として残っている。
【課題を解決するための手段】
【０００５】
本発明により、情報配信手順を効率的に実行するための配信システムを開示する。一実施形態では、配信システムは、対応するユーザデバイスのデバイスユーザによる利用ための様々なタイプの適切な情報を自動的に提供する。例えば、配信される情報は、以下に限定されるものではないが、特定のデバイスユーザをターゲットにした商業広告情報を含むことができる。望ましい広告情報に能動的にアクセスするように消費者に要求する「プル」モデルをサポートする従来の広告技術とは異なり、上述の配信システムは、デバイスユーザ及び様々な広告主の両方を定義する対応するメタデータファイルに基づいて適切な広告情報を自動的に選択してターゲットデバイスユーザに送信する「プッシュ」モデルをサポートする。
【０００６】
配信システムの一実施形態では、ユーザデバイスは、あらゆる適切な手段を通じて登録サーバと通信することにより、最初に配信サービスに加入する。登録手順中に、デバイスユーザは、個々のデバイスユーザによってどのプライバシーレベルが好ましいかに応じたある一定の特定ユーザ情報を配信システムに収集して利用させる承諾を入力する。ユーザデバイスは、配信システムを通して一貫するフォーマット及び用語を利用することにより、バックボーンライブラリを利用してユーザ特徴を定義するユーザメタデータを作成する。同様に、広告主は、それぞれの広告主ワークステーションを利用して、それぞれの広告主及び製品特徴を定義する広告主メタデータを作成する。
【０００７】
メタデータサーバは、次に、ユーザメタデータと広告主メタデータを評価して結合メタデータファイルに結合することができる。メタデータサーバは、デバイスユーザ又は広告主に関する現在の条件又は新しいイベントの発生を反映するために、定期的にメタデータファイルを更新することもできる。様々な広告主ワークステーションは、次に、メタデータファイルにアクセスして分析し、様々な広告主からの特定の広告入札を反映する対応する入札メタデータを作成することができる。広告主ワークステーションは、次に、それらの入札メタデータを配信システムにおける入札サーバに送信する。
【０００８】
入札サーバは、所定の入札基準に従って様々な広告主ワークステーションからのそれぞれの入札メタデータを分析し、１つ又はそれよりも多くの「勝利」広告主を示す入札結果を発生させる。所定の入札基準は、以下に限定されるものではないが、特定のデバイスユーザに対する宣伝された製品の関連性、広告主によって提供された入札の額、及び宣伝された製品の相対的なコストを含むあらゆる適切な情報を含むことができる。
【０００９】
入札サーバは、入札結果を広告主ワークステーションに送信する。これに応答して、勝利広告主は、広告情報を広告サーバに送信する。広告主ワークステーションからの広告の受信時に、広告サーバは、あらゆる適切な手段を利用することにより、適切なターゲットユーザデバイスに広告を自動的にプッシュ／送信する。最後に、ユーザデバイスは、プッシュされた広告をあらゆる適切な方法で対応するデバイスユーザに表示することができる。少なくとも上述の理由のために、本発明は、従って、電子バックボーンを使用して配信手順を効率的に実行するための改善したシステム及び方法を提供する。
【図面の簡単な説明】
【００１０】
【図１】本発明の一実施形態による配信システムを示すブロック図である。
【図２】本発明による図１のユーザデバイスの一実施形態を示すブロック図である。
【図３】本発明による図１の登録サーバの一実施形態を示すブロック図である。
【図４】本発明による図１のメタデータサーバの一実施形態を示すブロック図である。
【図５】本発明による図１の広告主ワークステーションの一実施形態を示すブロック図である。
【図６】本発明による図１の入札サーバの一実施形態を示すブロック図である。
【図７】本発明による図１の広告サーバの一実施形態を示すブロック図である。
【図８】本発明による図１の記憶サーバの一実施形態を示すブロック図である。
【図９Ａ】本発明の一実施形態による配信手順を実行する方法段階を示す流れ図である。
【図９Ｂ】本発明の一実施形態による配信手順を実行する方法段階を示す流れ図である。
【図９Ｃ】本発明の一実施形態による配信手順を実行する方法段階を示す流れ図である。
【図９Ｄ】本発明の一実施形態による配信手順を実行する方法段階を示す流れ図である。
【発明を実施するための形態】
【００１１】
本発明は、電子データ配信技術における改善に関する。以下の説明は、当業者が本発明を使用することができるように示されており、特許出願及びその要件の関連において提供される。開示する実施形態への様々な修正は、当業者には明らかであろうし、本明細書における一般原理は、他の実施形態に応用することができる。従って、本発明は、図示の実施形態に制限されるものではなく、本明細書に説明される原理及び特徴に矛盾しない様々な範囲に従うものとする。
【００１２】
本発明は、情報配信手順を効率的に実行するためのシステム及び方法を含み、配信システムから配信サービスを受け取るための登録手順を実行するユーザデバイスを含む。ユーザデバイスは、ユーザデバイスのそれぞれのデバイスユーザに関するユーザメタデータを発生させるのに使用される。複数のワークステーションが、それぞれの広告主に配信システムにおいて関連付けられている。ワークステーションは、ユーザメタデータを分析し、対応する入札メタデータを生成する。入札サーバは、次に、入札メタデータを評価し、オリジナルワークステーションの中から１つ又はそれよりも多くの勝利ワークステーションを判断する。１つ又はそれよりも多くの勝利ワークステーションは、その広告情報をユーザデバイスの適切なものに自動的に送信する。関連の広告情報は、従って、ユーザメタデータを分析することによって具体的に個々のデバイスユーザをターゲットにする。
【００１３】
ここで図１を参照すると、本発明の一実施形態による配信システム１１４のブロック図が示されている。図１の実施形態では、配信システム１１４は、以下に限定されるものではないが、１つ又はそれよりも多くのユーザデバイス１２２、登録サーバ１２６、メタデータサーバ１３０、１つ又はそれよりも多くの広告主ワークステーション１３４、入札サーバ１３８、広告サーバ１４２、及び記憶サーバ１４４を含むことができる。図１の実施形態では、配信システム１１４のある一定の要素は、電子バックボーン１１８を通じて通信する。
【００１４】
代替の実施形態では、配信システム１１４は、図１の実施形態に関して説明した構成要素及び構成のある一定のものに加えて又はこれらの代わりの構成要素及び構成を利用することによって実施することができる。例えば、ある一定の実施形態では、図１の実施形態に示すサーバの一部又は全ては、配信システム１１４によるデータ送信及びデータ処理のより多くの量に適応させるために、類似のサーバのそれぞれのバンクとして実施することができる。
【００１５】
本発明により、配信システム１１４は、対応するユーザデバイス１２２のデバイスユーザによる利用ための様々なタイプの適切な情報を自動的に提供する配信手順を有利にサポートする。例えば、配信される情報は、以下に限定されるものではないが、ユーザデバイス１２２の適切なデバイスユーザを具体的に対象とした商業広告情報を含むことができる。要求される広告情報に能動的にアクセスするように消費者に要求する「プル」モデルをサポートする従来の広告技術とは異なり、図１の配信システム１１４は、デバイスユーザ及び様々な広告主の両方を定義する対応するメタデータに基づいて適切な広告情報を自動的に選択し、ターゲットデバイスユーザに送信する「プッシュ」モデルをサポートする。
【００１６】
図１の実施形態では、配信システム１１４は、金銭上又は他の報酬と引き換えに、広告主とデバイスユーザの両方に配信サービスを提供する配信制御エンティティによって実施及びサポートされる。配信制御エンティティは、登録サーバ１２６、メタデータサーバ１３０、入札サーバ１３８、広告サーバ１４２、及び記憶サーバ１４４のような配信システム１１４の重要な要素を維持及び制御する営利事業とすることができる。配信制御エンティティは、従って、広告主及びデバイスユーザの両方による配信システム１１４へのアクセスを実質的に制御する。
【００１７】
図１の実施形態では、配信システム１１４のある一定の要素は、あらゆる効率的な方法で実施することができる電子バックボーン１１８を通じて通信する。例えば、バックボーン１１８は、あらゆる適切なハードワイヤド又は無線技術を利用することによって配信システム１１４を通じた通信をサポートする１つ又はそれよりも多くのシステムバス又は電子パイプラインとして実施することができる。更に、ある一定の実施形態では、バックボーン１１８は、複数の異なるタイプの電子通信方法を同時に利用することによって実施することができる。
【００１８】
図１の配信システム１１４の典型的な作動中に、ユーザデバイス１２２は、あらゆる適切な手段を通じて登録サーバ１２６と通信することによって配信システム１１４からの配信サービスに最初に加入する。登録手順中に、デバイスユーザは、個々のデバイスユーザによってどのプライバシーレベルが好ましいかに応じてある一定の特定ユーザ情報を配信システム１１４に収集及び利用させる承諾を入力する。ユーザデバイス１２２は、バックボーンライブラリを利用して、配信システム１１４を通して一貫するフォーマット及び用語を利用することによってそれぞれのユーザ情報を定義するユーザメタデータを作成する。ユーザデバイス１２２は、次に、記憶サーバ１４４にユーザメタデータを記憶する。
【００１９】
図１の実施形態では、広告主は、それぞれの広告主ワークステーションＡ（１３４（ａ））から広告主ワークステーションＮ（１３４（ｎ））を利用して、それぞれの広告主に関する広告主情報を定義する適切な広告主メタデータを同様に作成する。具体的には、広告主ワークステーション１３４は、バックボーン１１８を通じてバックボーンライブラリにアクセスし、配信システム１１４を通して一貫するフォーマット及び用語を利用することによってそれぞれの広告主情報を定義する広告主メタデータを作成する。広告主ワークステーション１３４は、次に、バックボーン１１８を通じて広告主メタデータを記憶サーバ１４４に記憶することができる。代替の実施形態では、広告主ワークステーション１３４のどのような要求される数も、配信システム１１４によってサポートすることができる。
【００２０】
図１の実施形態では、メタデータサーバ１３０は、ユーザメタデータと広告主メタデータを、典型的にはバックボーン１１８を通じて記憶サーバ１４４に記憶される結合されたメタデータに結合する。メタデータサーバ１３０は、現在の条件及び新しいイベントの発生を反映するためにメタデータファイル内のユーザ及び広告主情報を定期的に更新することができる。図１の実施形態では、様々な広告主ワークステーション１３４は、次に、バックボーン１１８を通じてメタデータファイルにアクセス及び分析し、広告情報を適切なユーザデバイス１２２に送信するために様々な広告主からの広告入札を反映するそれぞれの入札メタデータを作成することができる。広告主ワークステーション１３４は、次に、バックボーン１１８を通じてその入札メタデータを入札サーバ１３８に送信することができる。
【００２１】
図１の実施形態では、入札サーバ１３８は、１つ又はそれよりも多くの「勝利」広告主を指示する入札結果を発生させるために、所定の入札基準に従って様々な広告主ワークステーション１３４からのそれぞれの入札メタデータを分析する。所定の入札基準は、以下に限定されるものではないが、特定のデバイスユーザに対する宣伝された製品の関連性、広告主によって提供された入札の額、及び宣伝された製品の相対的コストを含むあらゆる適切な情報を含むことができる。
【００２２】
図１の実施形態では、入札サーバ１３８は、バックボーン１１８を通じて入札結果を広告主ワークステーション１３４に送信する。これに応答して、勝利広告主は、バックボーン１１８を通じて適切な広告情報（アッド）を広告サーバ１４２に送信する。広告主ワークステーション１３４からの広告の受け取り時に、入札サーバ１３８は、あらゆる適切な手段を利用することによって広告を適切なターゲットユーザデバイス１２２に自動的にプッシュ／送信する。例えば、ある一定の実施形態では、ユーザデバイス１２２は、「インターネット」のような分散コンピュータネットワーク上で配信システム１１４の様々なサーバと通信することができる。最後に、ユーザデバイス１２２は、あらゆる適切な方法でプッシュされた広告を対応するデバイスユーザに表示することができる。従って、本発明は、配信手順を実行するための改善したシステム及び方法であることが分かる。図１の配信システム１１４の実施及び利用に関する更なる詳細は、図２−９と共に以下に説明する。
【００２３】
ここで図２を参照すると、本発明による図１のユーザデバイス１２２の一実施形態のブロック図が示されている。図２の実施形態では、ユーザデバイス１２２は、以下に限定されるものではないが、中央演算処理装置（ＣＰＵ）２１４、メモリ２１８、ディスプレイ２３８、及び１つ又はそれよりも多くの入力／出力インタフェース（Ｉ／Ｏインタフェース）２４０を含む。図２の実施形態は、例示的な目的のために示されており、代替の実施形態では、ユーザデバイス１２２は、図２の実施形態に関して説明した構成要素及び構成のある一定のものに加えて又はこれらの代わりの構成要素及び構成を使用して実施することができる。更に、ユーザデバイス１２２は、以下に限定されるものではないが、デスクトップコンピュータ、携帯情報端末、携帯電話、セットトップボックス、又はラップトップコンピュータを含むあらゆるタイプの携帯式又は非携帯式電子デバイスとして実施することができる。
【００２４】
図２の実施形態では、ＣＰＵ２１４は、好ましくはソフトウエア命令を実行するあらゆる適切な適合マイクロプロセッサデバイスを含むように実施することができ、それによってユーザデバイス１２２の作動を制御及び管理する。図２のディスプレイ２３８は、様々な情報をデバイスユーザに表示するための適切なスクリーンを備えたブラウン管モニタ又は液晶ディスプレイデバイスを含むあらゆる効率的なタイプのディスプレイ技術を含むことができる。図２の実施形態では、Ｉ／Ｏインタフェース２４０は、ユーザデバイス１２２による情報のどのような要求されるタイプも受信及び／又は送信するために、１つ又はそれよりも多くの入力及び／又は出力インタフェースを含むことができる。
【００２５】
図２の実施形態では、メモリ２１８は、以下に限定されるものではないが、読取専用メモリ（ＲＯＭ）、ランダムアクセスメモリ（ＲＡＭ）、及びフロッピーディスク、メモリスティック、コンパクトディスク、又はハードディスクのような様々なタイプの不揮発性メモリを含む要求される記憶デバイスのあらゆる組合せを含むように実施することができる。図２の実施形態では、メモリ２１８は、以下に限定されるものではないが、デバイスアプリケーション２２２、データモジュール２２６、ユーザメタデータ２３０、及び１つ又はそれよりも多くの広告（アッド）２３４を含む。
【００２６】
図２の実施形態では、デバイスアプリケーション２２２は、ユーザデバイス１２２のための様々な機能及び作動を実行するための好ましくはＣＰＵ２１４によって実行されるプログラム命令を含むことができる。デバイスアプリケーション２２２の特定の性質及び機能は、一般的に、対応するユーザデバイス１２２の固有のタイプ及び特定の機能のような要素に応じて異なる。
図２の実施形態では、ユーザデバイス１２２は、ユーザデバイス１２２又はユーザデバイス１２２のデバイスユーザに関するあらゆる要求される属性又は特徴も説明するユーザメタデータ２３０を作成するために、データモジュール２２６を利用する。例えば、ユーザメタデータ２３０は、以下に限定されるものではないが、デバイスユーザの名前、性別、年齢、宗教、趣味、関心、職業、配偶者の有無、住所、収入、「インターネット」閲覧履歴、及びクレジットカード取引記録に関する情報を含むことができる。図２の実施形態では、広告２３４は、具体的にはユーザデバイス１２２のデバイスユーザに対する配信システム１１４（図１）から受信したターゲット広告情報を含む。ユーザデバイス１２２の利用に対する付加的な詳細は、図９Ａ−９Ｄと共に以下に更に説明する。
【００２７】
ここで図３を参照すると、本発明による図１の登録サーバ１２６の一実施形態のブロック図が示されている。図３の実施形態では、登録サーバ１２６は、以下に限定されるものではないが、中央演算処理装置（ＣＰＵ）３１４、メモリ３１８、ディスプレイ３３８、及び１つ又はそれよりも多くの入力／出力インタフェース（Ｉ／Ｏインタフェース）３４０を含む。図３の実施形態は、例示的な目的のために示されており、代替の実施形態では、登録サーバ１２６は、図３の実施形態に関して説明した構成要素及び構成のある一定のものに加えて又はこれらの代わりの構成要素及び構成を使用して実施することができる。
【００２８】
図３の実施形態では、ＣＰＵ３１４は、好ましくはソフトウエア命令を実行するあらゆる適切な適合マイクロプロセッサデバイスを含むように実施することができ、それによって登録サーバ１２６の作動を制御及び管理する。図３のディスプレイ３３８は、様々な情報をデバイスユーザに表示するための適切なスクリーンを備えたブラウン管モニタ又は液晶ディスプレイデバイスを含むあらゆる効率的なタイプのディスプレイ技術を含むことができる。図３の実施形態では、Ｉ／Ｏインタフェース３４０は、登録サーバ１２６による情報のあらゆる要求されるタイプも受信及び／又は送信するために、１つ又はそれよりも多くの入力及び／又は出力インタフェースを含むことができる。
【００２９】
図３の実施形態では、メモリ３１８は、以下に限定されるものではないが、読取専用メモリ（ＲＯＭ）、ランダムアクセスメモリ（ＲＡＭ）、及びフロッピーディスク、メモリスティック、コンパクトディスク、又はハードディスクのような不揮発性メモリの様々なタイプを含む要求される記憶デバイスのあらゆる組合せを含むように実施することができる。図３の実施形態では、メモリ３１８は、以下に限定されるものではないが、登録アプリケーション３２２、登録データベース３２６、ユーザライセンス３３０、及びバックボーンライブラリ３３４を含む。
【００３０】
図３の実施形態では、登録アプリケーション３２２は、登録サーバ１２６のための様々な機能及び作動を実行するためにＣＰＵ３１４によって実行されることが好ましいプログラム命令を含むことができる。例えば、登録アプリケーション３２２は、登録手順を調整し、配信システム１１４（図１）から配信サービスを受けるためにユーザデバイス１２２（図２）のデバイスユーザを登録することができる。登録データベース３２６は、配信システム１１４からの配信サービスに加入する全てのデバイスユーザ及び対応するユーザデバイス１２２に関する情報を含むことが好ましい。
【００３１】
図２の実施形態では、ユーザライセンス３３０は、配信システム１１４による対応するユーザメタデータ２３０（図２）の収集及び使用を許可する登録されたデバイスユーザとの確認された承諾を含む。図３の実施形態では、バックボーンライブラリ３３４は、配信システム１１４におけるメタデータ及び通信のための全てのサポートされる用語、フォーマット、及び分類法に関する情報を含む。配信システム１１４における所定のエンティティは、従って、配信システム１１４における全てのデータ及び通信がバックボーンライブラリ３３４で定められた仕様に従うことを保証するために、バックボーンライブラリ３３４を参照することができる。登録サーバ１２６の利用ための付加的な詳細は、図９Ａ−９Ｄと共に以下に更に説明する。
【００３２】
ここで図４を参照すると、本発明による図１のメタデータサーバ１３０の一実施形態のブロック図が示されている。図４の実施形態では、メタデータサーバ１３０は、以下に限定されるものではないが、中央演算処理装置（ＣＰＵ）４１４、メモリ４１８、ディスプレイ４３８、及び１つ又はそれよりも多くの入力／出力インタフェース（Ｉ／Ｏインタフェース）４４０を含む。図４の実施形態は、例示的な目的のために示されており、代替の実施形態では、メタデータサーバ１３０は、図４の実施形態に関して説明した構成要素及び構成のある一定のものに加えて又はこれらの代わりの構成要素及び構成を使用して実施することができる。
【００３３】
図４の実施形態では、ＣＰＵ４１４は、好ましくはソフトウエア命令を実行するあらゆる適切な適合マイクロプロセッサデバイスを含むように実施することができ、それによってメタデータサーバ１３０の作動を制御及び管理する。図４のディスプレイ４３８は、様々な情報をデバイスユーザに表示するための適切なスクリーンを備えたブラウン管モニタ又は液晶ディスプレイデバイスを含むあらゆる効率的なタイプのディスプレイ技術を含むことができる。図４の実施形態では、Ｉ／Ｏインタフェース４４０は、メタデータサーバ１３０による情報のあらゆる要求されるタイプを受信及び／又は送信するために、１つ又はそれよりも多くの入力及び／又は出力インタフェースを含むことができる。
【００３４】
図４の実施形態では、メモリ４１８は、以下に限定されるものではないが、読取専用メモリ（ＲＯＭ）、ランダムアクセスメモリ（ＲＡＭ）、及びフロッピーディスク、メモリスティック、コンパクトディスク、又はハードディスクのような不揮発性メモリの様々なタイプを含む要求される記憶デバイスのあらゆる組合せを含むように実施することができる。図４の実施形態では、メモリ４１８は、以下に限定されるものではないが、メタデータ読取器４２２、メタデータマネージャ４２６、メタデータファイル４３０、及びルータ４３４を含む。
【００３５】
図４の実施形態では、メタデータサーバ１３０は、ルータ４３４が記憶サーバ１４４（図１）に記憶する適切なユーザメタデータを作成及び／又は更新するために、メタデータ読取器４２２を利用してユーザデバイス１２２と通信することができる。同様に、メタデータサーバ１３０は、ルータ４３４が記憶サーバ１４４に記憶する適切な広告主メタデータを作成及び／又は更新するために、メタデータマネージャ４２６を利用して広告主ワークステーション１３４（図１）と通信することができる。図４の実施形態では、メタデータマネージャ４２６は、ルータ４３４がバックボーン１１８を通じて記憶サーバ１４４に記憶するメタデータファイル４３０を作成するために、ユーザメタデータと広告主メタデータを結合することができる。メタデータサーバ１３０の利用に対する付加的な詳細は、図９Ａ−９Ｄと共に以下に更に説明する。
【００３６】
ここで図５を参照すると、本発明による図１の広告主ワークステーション１３４の一実施形態のブロック図が示されている。図５の実施形態では、広告主ワークステーション１３４は、以下に限定されるものではないが、中央演算処理装置（ＣＰＵ）５１４、メモリ５１８、ディスプレイ５３８、及び１つ又はそれよりも多くの入力／出力インタフェース（Ｉ／Ｏインタフェース）５４０を含む。図５の実施形態は、例示的な目的のために示されており、代替の実施形態では、広告主ワークステーション１３４は、図５の実施形態に関して説明した構成要素及び構成のある一定のものに加えて又はこれらの代わりの構成要素及び構成を使用して実施することができる。
【００３７】
図５の実施形態では、ＣＰＵ５１４は、好ましくはソフトウエア命令を実行するあらゆる適切な適合マイクロプロセッサデバイスを含むように実施することができ、それによって広告主ワークステーション１３４の作動を制御及び管理する。図５のディスプレイ５３８は、様々な情報をデバイスユーザに表示するための適切なスクリーンを備えたブラウン管モニタ又は液晶ディスプレイデバイスを含むあらゆる効率的なタイプのディスプレイ技術を含むことができる。図５の実施形態では、Ｉ／Ｏインタフェース５４０は、広告主ワークステーション１３４による情報のどのような要求されるタイプも受信及び／又は送信するために、１つ又はそれよりも多くの入力及び／又は出力インタフェースを含むことができる。
【００３８】
図５の実施形態では、メモリ５１８は、以下に限定されるものではないが、読取専用メモリ（ＲＯＭ）、ランダムアクセスメモリ（ＲＡＭ）、及びフロッピーディスク、メモリスティック、コンパクトディスク、又はハードディスクのような不揮発性メモリの様々なタイプを含む要求される記憶デバイスのあらゆる組合せを含むように実施することができる。図５の実施形態では、メモリ５１８は、以下に限定されるものではないが、ワークステーションアプリケーション５２２、入札マネージャ５２６、メタデータレポジトリ５３０、及び１つ又はそれよりも多くの広告（アッド）５３４を含む。
【００３９】
図５の実施形態では、ワークステーションアプリケーション５２２は、広告主ワークステーション１３４の様々な機能及び作動を実行するためにＣＰＵ５１４によって実行されることが好ましいプログラム命令を含むことができる。ワークステーションアプリケーション５２２の特定の性質及び機能は、一般的に、対応する広告主ワークステーション１３４の固有のタイプ及び特定の機能のような要素に応じて異なる。
【００４０】
図５の実施形態では、広告主ワークステーション１３４は、入札マネージャ５２６を利用して、メタデータファイル４３０（図４）にアクセスしてメタデータレポジトリ５３０に記憶することができる。メタデータファイル４３０は、一般的に、ユーザメタデータ及び広告主メタデータから関連の情報を含むようにメタデータサーバ１３０（図４）によって作成される。入札マネージャ５２６は、次に、バックボーン１１８を通じて入札サーバ１３８（図１）に送信される対応する入札メタデータを作成するために、メタデータレポジトリ５３０内のメタデータファイル４３０を分析することができる。図５の実施形態では、広告５３４は、広告主ワークステーション１３４に関連付けられた所定の広告主に対応する広告情報を含む。広告主ワークステーション１３４の利用に対する付加的な詳細は、図９Ａ−９Ｄと共に以下に更に説明する。
【００４１】
ここで図６を参照すると、本発明による図１の入札サーバ１３８の一実施形態のブロック図が示されている。図６の実施形態では、入札サーバ１３８は、以下に限定されるものではないが、中央演算処理装置（ＣＰＵ）６１４、メモリ６１８、ディスプレイ６３８、及び１つ又はそれよりも多くの入力／出力インタフェース（Ｉ／Ｏインタフェース）６４０を含む。図６の実施形態は、例示的な目的のために示されており、代替の実施形態では、入札サーバ１３８は、図６の実施形態に関して説明した構成要素及び構成のある一定のものに加えて又はこれらの代わりの構成要素及び構成を使用して実施することができる。
【００４２】
図６の実施形態では、ＣＰＵ６１４は、好ましくはソフトウエア命令を実行するあらゆる適切な適合マイクロプロセッサデバイスを含むように実施することができ、それによって入札サーバ１３８の作動を制御及び管理する。図６のディスプレイ６３８は、様々な情報をデバイスユーザに表示するための適切なスクリーンを備えたブラウン管モニタ又は液晶ディスプレイデバイスを含むあらゆる効率的なタイプのディスプレイ技術を含むことができる。図６の実施形態では、Ｉ／Ｏインタフェース６４０は、入札サーバ１３８による情報のどのような要求されるタイプも受信及び／又は送信するために、１つ又はそれよりも多くの入力及び／又は出力インタフェースを含むことができる。
【００４３】
図６の実施形態では、メモリ６１８は、以下に限定されるものではないが、読取専用メモリ（ＲＯＭ）、ランダムアクセスメモリ（ＲＡＭ）、及びフロッピーディスク、メモリスティック、コンパクトディスク、又はハードディスクのような不揮発性メモリの様々なタイプを含む要求される記憶デバイスのあらゆる組合せを含むように実施することができる。図６の実施形態では、メモリ６１８は、以下に限定されるものではないが、サーバアプリケーション６２２、入札アナライザ６２６、入札メタデータ６３０、及び入札結果６３４を含む。
図６の実施形態では、サーバアプリケーション６２２は、入札サーバ１３８の様々な機能及び作動を実行するためにＣＰＵ６１４によって実行されることが好ましいプログラム命令を含むことができる。デバイスアプリケーション２２２の特定の性質及び機能は、一般的に、対応する入札サーバ１３８の固有のタイプ及び特定の機能のような要素に応じて異なる。
【００４４】
図６の実施形態では、入札サーバ１３８は、様々な広告主ワークステーション１３４（図５）から一般的に受信される入札メタデータ６３０を分析するために入札アナライザ６２６を利用し、対応する入札結果６３４を生成することができる。図６の実施形態では、入札メタデータ６３０は、以下に限定されるものではないが、メタデータファイル４３０（図４）及び特定の広告主入札情報（広告情報をユーザデバイス１３４に送信するための支払い額など）を含むあらゆる適切な又は関連の情報を含むことができる。
【００４５】
図６の実施形態では、入札結果６３４は、入札勝者として選択されている１つ又はそれよりも多くの広告主（及び関連付けられた広告主ワークステーション１３４）を含むことができる。入札アナライザ６２６は、あらゆる効率的な方法で入札結果６３４を判断することができる。例えば、ある一定の実施形態では、入札アナライザ６２６は、以下に限定されるものではないが、特定の消費者（デバイスユーザ）に対する宣伝された製品の関連性及び広告主によって提供されている入札額を含むことができる所定の入札基準を評価することにより、勝利広告主を選択することができる。ある一定の実施形態では、入札基準は、要求される優先度方式を示すために重み付けされる。入札サーバ１３８の利用に対する付加的な詳細は、図９Ａ−９Ｄと共に以下に更に説明する。
【００４６】
ここで図７を参照すると、本発明による図１の広告サーバ１４２の一実施形態のブロック図が示されている。図７の実施形態では、広告サーバ１４２は、以下に限定されるものではないが、中央演算処理装置（ＣＰＵ）７１４、メモリ７１８、ディスプレイ７３８、及び１つ又はそれよりも多くの入力／出力インタフェース（Ｉ／Ｏインタフェース）７４０を含む。図７の実施形態は、例示的な目的のために示されており、代替の実施形態では、広告サーバ１４２は、図７の実施形態に関して説明した構成要素及び構成のある一定のものに加えて又はこれらの代わりの構成要素及び構成を使用して実施することができる。
【００４７】
図７の実施形態では、ＣＰＵ７１４は、好ましくはソフトウエア命令を実行するあらゆる適切な適合マイクロプロセッサデバイスを含むように実施することができ、それによって広告サーバ１４２の作動を制御及び管理する。図７のディスプレイ７３８は、様々な情報をデバイスユーザに表示するための適切なスクリーンを備えたブラウン管モニタ又は液晶ディスプレイデバイスを含むあらゆる効率的なタイプのディスプレイ技術を含むことができる。図７の実施形態では、Ｉ／Ｏインタフェース７４０は、広告サーバ１４２による情報のどのような要求されるタイプも受信及び／又は送信するために、１つ又はそれよりも多くの入力及び／又は出力インタフェースを含むことができる。
【００４８】
図７の実施形態では、メモリ７１８は、以下に限定されるものではないが、読取専用メモリ（ＲＯＭ）、ランダムアクセスメモリ（ＲＡＭ）、及びフロッピーディスク、メモリスティック、コンパクトディスク、又はハードディスクのような不揮発性メモリの様々なタイプを含む要求される記憶デバイスのあらゆる組合せを含むように実施することができる。図７の実施形態では、メモリ７１８は、以下に限定されるものではないが、サーバアプリケーション７２２、送信モジュール７２６、広告７３０、及び様々雑多な情報７３４を含む。
図７の実施形態では、サーバアプリケーション７２２は、広告サーバ１４２の様々な機能及び作動を実行するためにＣＰＵ７１４によって実行されることが好ましいプログラム命令を含むことができる。サーバアプリケーション７２２の特定の性質及び機能は、一般的に、対応する広告サーバ１４２の固有のタイプ及び特定の機能のような要素に応じて異なる。
【００４９】
図７の実施形態では、広告７３０は、図６に関して上述した入札手順の勝利広告主の広告主ワークステーション１３４から広告サーバ１４２に提供される広告情報を含む。図７の実施形態では、広告サーバ１４２は、あらゆる効率的な送信技術を利用することにより、送信モジュール７２６を利用して特定のターゲットユーザデバイス１２２に広告７３０を自動的にプッシュ／送信する。例えば、ある一定の実施形態では、広告サーバ１４２は、「インターネット」のような分散コンピュータネットワーク上でユーザデバイス１２２に広告７３０を送信することができる。図７の実施形態では、様々雑多な情報７３４は、広告サーバ１４２によって要求されるあらゆる付加的な情報又はデータを含むことができる。広告サーバ１４２の利用に対する付加的な詳細は、図９Ａ−９Ｄと共に以下に更に説明する。
【００５０】
ここで図８を参照すると、本発明による図１の記憶サーバ１４４の一実施形態のブロック図が示されている。図８の実施形態では、記憶サーバ１４４は、以下に限定されるものではないが、中央演算処理装置（ＣＰＵ）８１４、メモリ８１８、ディスプレイ８３８、及び１つ又はそれよりも多くの入力／出力インタフェース（Ｉ／Ｏインタフェース）８４０を含む。図８の実施形態は、例示的な目的のために示されており、代替の実施形態では、記憶サーバ１４４は、図８の実施形態に関して説明した構成要素及び構成のある一定のものに加えて又はこれらの代わりの構成要素及び構成を使用して実施することができる。
【００５１】
図８の実施形態では、ＣＰＵ８１４は、好ましくはソフトウエア命令を実行するあらゆる適切な適合マイクロプロセッサデバイスを含むように実施することができ、それによって記憶サーバ１４４の作動を制御及び管理する。図８のディスプレイ８３８は、様々な情報をデバイスユーザに表示するための適切なスクリーンを備えたブラウン管モニタ又は液晶ディスプレイデバイスを含むあらゆる効率的なタイプのディスプレイ技術を含むことができる。図８の実施形態では、Ｉ／Ｏインタフェース８４０は、記憶サーバ１４４による情報のどのような要求されるタイプも受信及び／又は送信するために、１つ又はそれよりも多くの入力及び／又は出力インタフェースを含むことができる。
【００５２】
図８の実施形態では、メモリ８１８は、以下に限定されるものではないが、読取専用メモリ（ＲＯＭ）、ランダムアクセスメモリ（ＲＡＭ）、及びフロッピーディスク、メモリスティック、コンパクトディスク、又はハードディスクのような不揮発性メモリの様々なタイプを含む要求される記憶デバイスのあらゆる組合せを含むように実施することができる。図８の実施形態では、メモリ８１８は、以下に限定されるものではないが、サーバアプリケーション８２２、データマネージャ８２６、メタデータストレージ８３０、及び様々雑多な情報８３４を含む。
図８の実施形態では、サーバアプリケーション８２２は、記憶サーバ１４４の様々な機能及び作動を実行するためにＣＰＵ８１４によって実行されることが好ましいプログラム命令を含むことができる。サーバアプリケーション８２２の特定の性質及び機能は、一般的に、対応する記憶サーバ１４４の固有のタイプ及び特定の機能のような要素に応じて異なる。
【００５３】
図８の実施形態では、メタデータストレージ８３０は、あらゆる適切なソースから記憶サーバ１４４に提供される様々なタイプのメタデータ情報を含む。これらのメタデータの潜在的容量のために、記憶サーバ１４４は、メタデータを記憶して処理するための専用デバイスとして機能する。図８の実施形態では、データマネージャ８２６は、メタデータを記憶し、検索し、かつそうでなければ操作するために作動を調整する。図８の実施形態では、メタデータストレージ８３０は、以下に限定されるものではないが、ユーザメタデータ、広告主メタデータ、メタデータファイル、及び入札メタデータを含むあらゆるタイプの適切な情報を記憶することができる。図８の実施形態では、様々雑多な情報８３４は、記憶サーバ１４４によって要求されるどのような付加的な情報又はデータも含むことができる。記憶サーバ１４４の利用に対する付加的な詳細は、図９Ａ−９Ｄと共に以下に更に説明する。
【００５４】
ここで図９Ａ−Ｄを参照すると、本発明の一実施形態による配信手順を実行する方法段階の流れ図が示されている。図９の流れ図は、例示的な目的のために示されており、代替の実施形態では、本発明は、図９の実施形態に関して説明した段階及びシーケンス以外の段階及びシーケンスを利用することができる。
【００５５】
図９Ａの段階９１４で、ユーザデバイス１２２は、配信システム１１４（図１）からの配信サービスに加入するために登録サーバ１２６による登録手順を最初に実行する。段階９１８で、ユーザデバイス１２２は、バックボーンライブラリ３３４を利用してユーザデバイス１２２のデバイスユーザに関するユーザメタデータ２３０を作成する。段階９２２で、ユーザデバイス１２２は、大量の電子情報に対する集中化記憶ロケーションを提供する記憶サーバ１４４にユーザメタデータ２３０を送信する。
【００５６】
段階９２６で、メタデータサーバ１３０のメタデータ読取器４２２は、あらゆる効率的な技術を利用することにより、補足的なユーザメタデータを定期的に作成することができる。段階９３０で、メタデータ読取器９３０は、バックボーンライブラリ３３４によって補足的なユーザメタデータを検証する。メタデータ読取器９３０は、次に、検証された追加ユーザメタデータによってユーザメタデータ２３０を更新し、更新ユーザメタデータ２３０を生成することができる。図９Ａの流れ図は、次に、接続文字「Ａ」を通じて図９Ｂの段階９３４に進む。
【００５７】
段階９３４で、配信システム１１４の広告主ワークステーション１３４は、バックボーンライブラリ３３４を利用し、広告主ワークステーション１３４のそれぞれの広告主に関する広告主メタデータを作成する。段階９３８で、広告主ワークステーション１３４は、広告主メタデータを一時記憶のために記憶サーバ１４４に送信する。段階９４２で、メタデータサーバ１３０のメタデータマネージャ４２６は、あらゆる効率的な技術を利用することによって補足的な広告主メタデータを定期的に作成することができる。メタデータ読取器９３０は、バックボーンライブラリ３３４によって補足的な広告主メタデータを検証する。
【００５８】
メタデータマネージャ４２６は、次に、検証された補足的な広告主メタデータによって以前に作成された広告主メタデータを更新し、更新広告主メタデータを生成することができる。段階９４６で、メタデータマネージャ４２６は、次に、記憶サーバ１４４に位置するユーザメタデータ及び広告主メタデータからの情報を結合することにより、メタデータファイル４３０を作成する。図９Ｂの流れ図は、次に、接続文字「Ｂ」を通じて図９Ｃの段階９５４に進む。
【００５９】
段階９５４で、メタデータマネージャ４２６は、上述の段階９４６で作成されたメタデータファイル４３０を記憶サーバ１４４に記憶する。段階９５８で、広告主ワークステーション１３４の入札マネージャ５２６は、記憶サーバ１４４に記憶されたメタデータファイル４３０にアクセスして分析する。入札マネージャ５２６は、次に、それぞれの広告入札を反映する対応する入札メタデータ６３０を作成するためにメタデータファイル４３０を利用し、配信システム１１４を通じて適切な広告をターゲットユーザデバイス１２２に配信する。
【００６０】
段階９６２で、広告主ワークステーション１３４は、配信システム１１４の入札サーバ１３８に入札メタデータ６３０を送信する。段階９６６で、入札サーバ１３８の入札アナライザ６２６は、受信した入札メタデータ６３０に入札分析手順を実行し、ターゲットユーザデバイス１２２に広告を送信／プッシュする権利を与えられた１人又はそれよりも多くの勝利広告主を含む対応する入札結果６３４を生成する。図９Ｃの流れ図は、次に、接続文字「Ｃ」を通じて図９Ｄの段階９７０に進む。
【００６１】
段階９７０で、入札サーバ１３８は、広告主ワークステーション１３４に入札結果６３４を送信する。これに応答して、段階９７４で、勝利広告主は、その広告５３４を配信システム１１４の広告サーバ１４２に送信する。段階９７８で、広告サーバ１４２は、広告５３４をターゲットユーザデバイス１２２に自動的に送信（プッシュ）する。最後に段階９８２で、ユーザデバイス１２２は、プッシュされた広告をデバイスユーザに表示することができる。次に、図９の処理は、終了することができる。
【００６２】
例示的な目的のために、図９の実施例は、単一のユーザデバイス１２２との関連において示されている。しかし、代替の実施形態では、付加的なユーザデバイス１２２のいかなる要求される数も等しく考えられる。更に、本発明は、広告情報を送信するものとして開示した。代替の実施形態では、電子情報のあらゆる他のタイプもまた、それ自体により、又は広告情報と結合させて送信することができる。例えば、ある一定の実施形態では、様々なタイプの電子コンテンツ（例えば、音声／映像情報）を広告情報と共にまとめることができる。少なくとも上述の理由のために、本発明は、従って、電子バックボーンを使用して配信手順を効率的に実行するための改善したシステム及び方法を提供する。
【００６３】
本発明をある一定の実施形態に関して上記に説明した。他の実施形態は、この開示の観点から当業者には明らかであろう。例えば、本発明は、上述の特定的な実施形態に説明した以外のある一定の構成及び技術を使用して容易に実施することができる。更に、本発明は、上述したもの以外のシステムと組み合わせて実質的に使用することができる。従って、説明した実施形態に対するこれら及び他の変形は、添付の特許請求の範囲によってのみ制限される本発明によって含まれるように意図している。
【符号の説明】
【００６４】
１１４  配信システム
１１８  電子バックボーン
１２２  ユーザデバイス
１３０  メタデータサーバ
１３４  広告主ワークステーション
【図１】
2010140472.tif 000003
【図２】
2010140472.tif 000004
【図３】
2010140472.tif 000005
【図４】
2010140472.tif 000006
【図５】
2010140472.tif 000007
【図６】
2010140472.tif 000008
【図７】
2010140472.tif 000009
【図８】
2010140472.tif 000010
【図９Ａ】
2010140472.tif 000011
【図９Ｂ】
2010140472.tif 000012
【図９Ｃ】
2010140472.tif 000013
【図９Ｄ】
2010140472.tif 000014
【外国語明細書】
2010140472.tif 000015
2010140472.tif 000016
2010140472.tif 000017
2010140472.tif 000018
2010140472.tif 000019
2010140472.tif 000020
2010140472.tif 000021
2010140472.tif 000022
2010140472.tif 000023
2010140472.tif 000024
2010140472.tif 000025
2010140472.tif 000026
2010140472.tif 000027
2010140472.tif 000028
2010140472.tif 000029
2010140472.tif 000030
2010140472.tif 000031
2010140472.tif 000032
2010140472.tif 000033
2010140472.tif 000034
2010140472.tif 000035
2010140472.tif 000036
2010140472.tif 000037
2010140472.tif 000038
2010140472.tif 000039
2010140472.tif 000040
2010140472.tif 000041
2010140472.tif 000042
2010140472.tif 000043
2010140472.tif 000044
2010140472.tif 000045
2010140472.tif 000046
2010140472.tif 000047
2010140472.tif 000048
2010140472.tif 000049
2010140472.tif 000050
2010140472.tif 000051
2010140472.tif 000052
2010140472.tif 000053